(57)【特許請求の範囲】
【請求項１】
ディスク状記録媒体に記録・再生を行う光ピックアップと、
前記光ピックアップの位置移動を行うトラバース手段と、
前記光ピックアップに設けられ前記光ピックアップの光学素子用の制御回路の基準電位部に接続された第１の導電部材と、
前記光ピックアップが最内周または最外周に到達していない位置において前記第１の導電部材とは非接触となる位置に設けられ、前記基準電位部と異なる電位部に接続された第２の導電部材と、
前記第２の導電部材に接続されて前記第２の導電部材の電位を検出し検出された電位に応じてトラバース手段の移動方向を反転する制御手段とを備え、
前記光ピックアップの最内周位置または最外周位置において前記第１の導電部材と第２の導電部材とが接触する光ピックアップの位置制御装置。
【請求項２】
前記第２の導電部材が、光ピックアップの最内周位置または最外周位置を検出するスイッチの一方の接点に接続され、他方の接点が前記制御手段に接続されている請求項１記載の光ピックアップの位置制御装置。
【請求項３】
前記第２の導電部材が、光ピックアップが取り付けられるサスペンションシャーシに絶縁部材を介して取り付けられている請求項１または２記載の光ピックアップの位置制御装置。
【発明の詳細な説明】
【０００１】
【発明の属する技術分野】
本発明は、コンパクトディスクなどの光ディスク記録・再生装置に使用する光ピックアップの位置制御方法およびその装置に関する。
【０００２】
【従来の技術】
図３は従来のコンパクトディスクプレーヤのサスペンションシャーシ組立体の概略を示している。図３において、１は光ピックアップであり、２はトラバースモータ、３はリードスクリュー、４はガイドシャフトである。リードスクリュー３には雄ねじが切られており、光ピックアップ１に形成された雌ねじを有する係合部１ａと噛み合っている。トラバースモータ２の回転がギヤトレインを介してリードスクリュー３に伝達され、リードスクリュー３が回転すると、光ピックアップ１はトラバース方向に移動する。挿入されたディスク６がディスククランプ５により固定されると、コンパクトディスクプレーヤは、光ピックアップ１の位置を検出するために、光ピックアップ１を一旦ディスク６の最内周位置まで移動する。これらの構成部品は、サスペンションシャーシ７に取り付けられており、ガイドシャフト４の中心側の端部にはプッシュ型の内周スイッチ８が設けられている。なお、光ピックアップ１の最外周位置を検出するスイッチを備え、そのスイッチが光ピックアップ１の最外周位置を検出すると、トラバースモータ２を逆転させ、光ピックアップを内周方向に移動させる構造を有するものもある。
【０００３】
図４は光ピックアップ１の移動機構と制御回路９の概略を示す。制御回路９において、１０はマイクロコンピュータ、１１はマイクロコンピュータ用の電源、１２は抵抗、１３は内周スイッチ８の位置検出系におけるグランド、１４はトラバースモータ２の電圧を制御するドライバ、１５は光ピックアップ１と制御回路９の間で、レーザの発光やＲＦ信号の入力等を行うための配線部であり、それらの配線の中の１本は、基準電位を決めるグランド１６となっている。１７、１８は制御回路９と機構部品の接続部であり、コネクタを用いてある。ドライバ１４はマイクロコンピュータ１０によって制御され、内周スイッチ８はコネクタ１８を通じてマイクロコンピュータ１０およびグランド１３に接続されている。
【０００４】
内周スイッチ８がオフの場合、電源１１からの任意の電圧（ハイレベル）は、抵抗１２を介してマイクロコンピュータ１０に入力される。光ピックアップ１が最内周位置に達し、内周スイッチ８が光ピックアップ１に押されてオン状態になると、電源１１の電圧はグランド１３に達する。この時、マイクロコンピュータ１０に入力する電圧はほぼ０ボルト、すなわちローレベルとなる。マイクロコンピュータ１０は、入力電圧から内周スイッチ８のオンまたはオフ状態を認識し、光ピックアップ１が最内周位置に到達したか否かを検出する。マイクロコンピュータ１０は、光ピックアップ１の最内周位置到達を検出すると、トラバースモータ２を逆回転させる指令を、トラバースモータ２の電圧を制御するドライバ１４に送る。この結果、光ピックアップ１は外周方向に移動する。
【０００５】
このように、上記従来の光ピックアップの位置制御方法および装置でも、光ピックアップの最内周位置を検出し、その結果に基づいてトラバースモータを逆転させ、光ピックアップを外周方向に移動させることができる。
【０００６】
【発明が解決しようとする課題】
しかしながら、上記従来の光ピックアップの位置制御方法および装置では、内周スイッチ８の接続配線が２本が必要であり、コネクタ１８には２ピンが必要であった。また、内周スイッチ８の形状寸法、ストローク、取り付け精度等の累積誤差を考慮し、部品の仕上がりや装置組み立て精度を高精度とする必要があり、高精度を確保するために、各部品の製造コストや組み立て工数が増加し、製品の高価格化の一因となっていた。
【０００７】
本発明は、このような従来の問題を解決するものであり、光ピックアップの位置検出信号処理に必要な接続配線を１本とすることにより、構造を簡略化して装置の小型化と低価格化を実現することのできる優れた光ピックアップの位置制御方法およびその装置を提供することを目的とする。
【０００８】
【課題を解決するための手段】
本発明は、上記目的を達成するために、光ピックアップのトラバース方向の最内周位置または最外周位置、またはその位置を検出するスイッチの光ピックアップに接触する部分を絶縁部材を介した導電部とし、光ピックアップの前記導電部に接触する部分をグランドに接続し、前記導電部の電位を検出してその検出電位がグランド電位になった時、すなわち前記導電部と光ピックアップとが接触した時に、光ピックアップの移動方向を反転するようにしたものである。これにより光ピックアップの位置検出信号処理に必要な接続配線を１本とすることができ、構造を簡略化して装置の小型化と低価格化を実現することができる。
【０００９】
【発明の実施の形態】
本発明は、ディスク状記録媒体に記録・再生を行う光ピックアップのトラバース方向の最内周位置または最外周位置を検出して移動方向を反転させる光ピックアップの位置制御方法であって、光ピックアップのトラバース方向の最内周位置または最外周位置を検出するスイッチの光ピックアップに接触する部分を絶縁部材を介した導電部とし、前記光ピックアップの前記導電部に接触する部分をグランドに接続し、前記スイッチの導電部の電位を検出し、検出電位がグランド電位になった時に、光ピックアップの移動方向を反転する光ピックアップの位置制御方法であり、光ピックアップの位置検出信号処理に必要な接続配線を１本とすることができ、構造を簡略化して装置の小型化と低価格化を実現することができるという作用を有する。
【００１０】
本発明は、ディスク状記録媒体に記録・再生を行う光ピックアップのトラバース方向の最内周位置または最外周位置を検出して移動方向を反転させる光ピックアップの位置制御方法であって、光ピックアップのトラバース方向の最内周位置または最外周位置を絶縁部材を介した導電部とし、前記光ピックアップの前記導電部に接触する部分をグランドに接続し、前記導電部の電位を検出し、検出電位がグランド電位になった時に、光ピックアップの移動方向を反転する光ピックアップの位置制御方法であり、光ピックアップの位置検出信号処理に必要な接続配線を１本とすることができ、構造を簡略化して装置の小型化と低価格化を実現することができるという作用を有する。
【００１１】
本発明は、ディスク状記録媒体に記録・再生を行う光ピックアップと、前記光ピックアップの位置移動を行うトラバース手段と、前記光ピックアップに設けられた第１の導電部材と、前記光ピックアップが最内周位置または最外周位置に達した時に前記第１の導電部材と電気的に導通する第２の導電部材と、前記第２の導電部材に接続されて、前記第１および第２の導電部材の導通が検出された時にトラバースの向きを反転する制御手段とを備えた光ピックアップの位置制御装置であり、光ピックアップの位置検出信号処理に必要な接続配線を１本にすることができ、構造を簡略化して装置の小型化と低価格化を実現することができるという作用を有する。
【００１２】
本発明は、第１の導電部材が、光ピックアップの光学素子用の制御回路のグランドに接続されている光ピックアップの位置制御装置であり、光ピックアップの信号処理系と光ピックアップ位置検出系のグランドを共通にすることにより、光ピックアップの位置検出信号処理に必要な接続配線を１本にすることができるという作用を有する。
【００１３】
本発明は、第２の導電部材が、光ピックアップの最内周位置または最外周位置を検出するスイッチの一方の接点に接続され、他方の接点が制御手段に接続されている光ピックアップの位置制御装置であり、光ピックアップの位置検出スイッチに必要な接続配線を１本にすることができるという作用を有する。
【００１４】
本発明は、第２の導電部材が、光ピックアップが取り付けられるサスペンションシャーシに絶縁部材を介して取り付けられている光ピックアップの位置制御装置であり、光ピックアップの位置検出スイッチが不要になるので、より構造を簡略化して装置の小型化と低価格化を実現することができるという作用を有する。
【００１５】
以下、本発明の実施の形態を図面を参照して説明する。
（実施の形態１）
図１は本発明の実施の形態１における光ピックアップ移動機構と制御回路の概略を示しており、図４に示した従来例と同じ要素には同じ符号を付してある。本実施の形態１が図４と異なるのは、光ピックアップ１の内周スイッチ８に接触する部分に第１導電部材１９ａが設けられて、光ピックアップ１からコネクタ１７を介して制御回路９のグランド１６に接続されていることと、内周スイッチ８の一方の接点が内周スイッチ８の絶縁性のアクチュエータ８ａに設けられた第２導電部材１９ｂに接続され、他方の接点がコネクタ１８を介してマイクロコンピュータ１０に接続されていることである。したがって、光ピックアップ１の位置検出系におけるグランド１３が省略されている。なお、内周スイッチ８のアクチュエータ８ａが導電性の場合は、これを第２導電部材１９ｂとする。この場合、アクチュエータ８ａは、スイッチの内部において他方の接点とは絶縁されている。
【００１６】
内周スイッチ８がオフの場合、電源１１からの任意の電圧（ハイレベル）は、抵抗１２を介してマイクロコンピュータ１０に入力される。光ピックアップ１が最内周位置に達し、内周スイッチ８が光ピックアップ１に押されてオン状態になると、内周スイッチ８の両接点が短絡するので、電源１１の電圧は、第２導電部材１９ｂから第１導電部材１９ａを介してグランド１６に達する。この時、マイクロコンピュータ１０に入力する電圧はほぼ０ボルト、すなわちローレベルとなる。マイクロコンピュータ１０は、入力電圧から内周スイッチ８のオンまたはオフ状態を認識し、光ピックアップ１が最内周位置に到達したか否かを検出する。マイクロコンピュータ１０は、光ピックアップ１の最内周位置到達を検出すると、トラバースモータ２を逆回転させる指令を、トラバースモータ２の電圧を制御するドライバ１４に送る。この結果、光ピックアップ１は外周方向に移動する
。
【００１７】
このように、本実施の形態１によれば、光ピックアップ１の位置検出信号処理に必要な内周スイッチ８と制御回路９との接続配線を１本にすることができ、また、コネクタ１８を１ピンとすることができるので、構造を簡略化して装置の小型化と低価格化を実現することができる。
【００１８】
（実施の形態２）
図２は本発明の実施の形態２における光ピックアップ移動機構と制御回路の概略を示しており、図４に示した従来例と同じ要素には同じ符号を付してある。本実施の形態２が図４と異なるのは、光ピックアップ１の内周側位置に第１導電部材２０ａが設けられて、光ピックアップ１からコネクタ１７を介して制御回路９のグランド１６に接続されていることと、光ピックアップ１が移動できるようにサスペンションシャーシ７に形成された開口部７ａの内周側位置に第２導電部材２０ｂが絶縁部材２１を介して設けられて、コネクタ１８を介してマイクロコンピュータ１０に接続されていることである。したがって、光ピックアップ１の位置検出系における内周スイッチ８およびグランド１３が省略されている。なお、第１導電部材２０ａと第２導電部材２０ｂのいずれか一方または両方に弾性を持たせるか、弾性部材を介して設けることが望ましい。
【００１９】
光ピックアップ１が内周位置に到達していない時、すなわち第１導電部材２０ａと第２導電部材２０ｂとが非接触の時、電源１１からの任意の電圧（ハイレベル）は、抵抗１２を介してマイクロコンピュータ１０に入力される。光ピックアップ１が最内周位置に達し、第１導電部材２０ａと第２導電部材２０ｂとが接触すると、電源１１の電圧は、サスペンションシャーシ７の第２導電部材２０ｂから光ピックアップ１の第１導電部材２０ａを介してグランド１６に達する。この時、マイクロコンピュータ１０に入力する電圧はほぼ０ボルト、すなわちローレベルとなる。マイクロコンピュータ１０は、入力電圧から光ピックアップ１が最内周位置に到達したか否かを検出する。マイクロコンピュータ１０は、光ピックアップ１の最内周位置到達を検出すると、トラバースモータ２を逆回転させる指令を、トラバースモータ２の電圧を制御するドライバ１４に送る。この結果、光ピックアップ１は外周方向に移動する。
【００２０】
このように、本実施の形態２によれば、光ピックアップ１の位置検出信号を内周スイッチ８を用いずに１本の接続配線により制御回路８のマイクロコンピュータ１０に伝達することができるので、構造をより簡略化して装置の小型化と低価格化を実現することができる。
【００２１】
なお、上記実施の形態では、光ピックアップ１の最内周位置を検出して、光ピックアップを外周方向に移動させる制御の場合について説明したが、光ピックアップ１の最外周位置を検出して光ピックアップを内周方向に移動させる場合にも同様に本発明を適用できるものである。
【００２２】
【発明の効果】
本発明は、上記実施の形態から明らかなように、光ピックアップのトラバース方向の最内周位置または最外周位置、またはその位置を検出するスイッチの光ピックアップに接触する部分を絶縁部材を介した導電部とし、光ピックアップの前記導電部に接触する部分をグランドに接続し、前記導電部の電位を検出してその検出電位がグランド電位になった時、すなわち前記導電部と光ピックアップとが接触した時に、光ピックアップの移動方向を反転するようにしたので、光ピックアップの位置検出信号処理に必要な接続配線を１本とすることができ、部品の仕上がりや装置組み立て精度を高精度とすることなく構造を簡略化して装置の小型化と低価格化を実現することができる。
【図面の簡単な説明】
【図１】（ａ）本発明の実施の形態１における光ピックアップ移動機構を示し、光ピックアップが最内周位置に達しない状態の構成図
（ｂ）本発明の実施の形態１における光ピックアップ移動機構および制御回路の概略を示し、光ピックアップが最内周位置に達した状態の構成図
【図２】（ａ）本発明の実施の形態２における光ピックアップ移動機構を示し、光ピックアップが最内周位置に達しない状態の構成図
（ｂ）本発明の実施の形態２における光ピックアップ移動機構および制御回路の概略を示し、光ピックアップが最内周位置に達した状態の構成図
【図３】従来例におけるコンパクトディスクプレーヤのサスペンションシャーシ組立体の斜視図
【図４】（ａ）従来例における光ピックアップ移動機構を示し、光ピックアップが最内周位置に達しない状態の構成図
（ｂ）従来例における光ピックアップ移動機構および制御回路の概略を示し、光ピックアップが最内周位置に達した状態の構成図
【符号の説明】
１  光ピックアップ
２  トラバースモータ
３  リードスクリュー
４  ガイドシャフト
５  ディスククランパ
６  ディスク
７  サスペンションシャーシ
８  内周スイッチ
９  制御回路
１０  マイクロコンピュータ
１１  マイクロコンピュータ用電源
１２  抵抗
１３  光ピックアップ位置検出用グランド
１４  トラバースモータ駆動用ドライバ
１５  配線部
１６  基準用グランド
１７、１８  コネクタ
１９ａ、２０ａ  第１導電部材
１９ｂ、２０ｂ  第２導電部材
２１  絶縁部材
【図１】
0003933804.tif 000002
【図２】
0003933804.tif 000003
【図３】
0003933804.tif 000004
【図４】
0003933804.tif 000005